(57)【要約】【課題】処理槽内で活性炭と金属部材とが直接触れることによる腐食を発生させるおそれがなく活性炭の交換作業も迅速に行うことができ、不意のトラブル時にも処理を継続することができるバラスト水の排水処理装置の提供。【解決手段】それぞれ内部に活性炭を収容し、バラスト水経路中のバラスト水を流入させる流入管１１及び活性炭により処理された後のバラスト水を前記バラスト水経路に流出させる流出管１２を有すると共に、バラスト水経路に対して並列的に接続された複数の処理槽１０を備えてなり、活性炭は、該活性炭の粒径よりも小さなメッシュを有する絶縁性の透水性袋内に充填されて活性炭袋の形態で処理槽１０の各々に多数袋収容されていると共に、複数の処理槽１０は少なくとも２つのグループに分けられ、バラスト水経路中のバラスト水を、複数の処理槽１０の全てに流入させる場合と、少なくともいずれか１つのグループの処理槽１０には流入させない場合とに選択可能な選択手段を有することを特徴とする。【選択図】  図１
2011050882.tif 000002
【特許請求の範囲】
【請求項１】
船舶内のバラスト水経路途中に設けられ、オゾン処理後の海水からなるバラスト水中の残留酸化物等を除去する排水処理装置であって、
それぞれ内部に活性炭を収容し、前記バラスト水経路中のバラスト水を流入させる流入管及び前記活性炭により処理された後のバラスト水を前記バラスト水経路に流出させる流出管を有すると共に、前記バラスト水経路に対して並列的に接続された複数の処理槽を備えてなり、
前記活性炭は、該活性炭の粒径よりも小さなメッシュを有する絶縁性の透水性袋内に充填されて活性炭袋の形態で前記処理槽の各々に多数袋収容されていると共に、
前記複数の処理槽は少なくとも２つのグループに分けられ、前記バラスト水経路中のバラスト水を、前記複数の処理槽の全てに流入させる場合と、少なくともいずれか１つのグループの前記処理槽には流入させない場合とに選択可能な選択手段を有することを特徴とするバラスト水の活性炭処理装置。
【請求項２】
前記グループは複数の前記処理槽を含んでいると共に、前記バラスト水経路中のバラスト水を、前記グループ内の複数の前記処理槽の全てに流入させる場合と、少なくともいずれか１つの前記処理槽には流入させない場合とに選択可能な第２の選択手段を有することを特徴とする請求項１記載のバラスト水の活性炭処理装置。
【発明の詳細な説明】
【技術分野】
【０００１】
本発明はバラスト水の排水処理装置に関し、詳しくは、海水をオゾン処理した後のバラスト水中に残留する酸化物等を活性炭により除去するバラスト水の排水処理装置に関する。
【背景技術】
【０００２】
水生生物や細菌類を含むバラスト水を処理する方法として、バラスト水に対してオゾンガスを注入することにより、殺菌あるいは除菌する技術が知られている（特許文献１）。
【０００３】
このようにバラスト水処理にオゾンを使用する場合、オゾンは海水中の臭素イオンや有機物と反応して毒性のある酸化物（オキシダント）等を生成する。残留酸化物等を含んだバラスト水を船外に排出することは海洋汚染のおそれがあり好ましくないため、排出する前に無害化する必要があり、このためには、内部に活性炭を収容した処理槽を、船舶内におけるオゾン処理後のバラスト水経路中に組み入れることが考えられる。
【０００４】
活性炭を用いて水を処理する方法としては、特許文献２に、活性炭を収容した活性炭袋を複数収容した金網製の函を水中に浸漬する方法が開示されている。
【先行技術文献】
【特許文献】
【０００５】
【特許文献１】特開２００４−１６０４３７号公報
【特許文献２】特許第３９５７５７２号公報
【発明の概要】
【発明が解決しようとする課題】
【０００６】
オゾン処理後のバラスト水中の残留酸化物等を無害化するために活性炭を収容した処理槽を用いて処理しようとする場合、次のような問題がある。
【０００７】
まず、排水量の大きな大型船舶では処理槽も大きくならざるを得ない。処理槽は頑丈に製作するために鋼材が使用されるが、製作のための設備、技術に高い水準が要求され、そのために製作費が高くなる問題がある。
【０００８】
また、海水中の活性炭の電位は極めて高いため、処理槽内において活性炭と接触する金属部材が腐食する問題がある。この金属部材には、活性炭を収容する処理槽本体の他にも、活性炭の流出を防止するために処理槽内に設けられる金網等があり、これらの腐食を防止するための手段を別途講じる必要がある。
【０００９】
この腐食の問題に対しては、特許文献２記載のように活性炭を袋詰めした活性炭袋を使用する方法が有効であると考えられ、袋にある程度の絶縁性を備えた素材を用いることにより金属部材の腐食を回避できると共に、活性炭の流出を防止するための金網も不要にでき、処理槽内の構造を簡素化することができる。
【００１０】
しかし、個々の活性炭袋は、配管類や各種機器が配設された狭い船舶内においてハンドリングを良くするために比較的小さく形成する必要があり、このため、大きな処理槽内に所要数を充填する作業及び処理槽内から取り出す作業に多大な時間を要する問題がある。活性炭は長期使用によって吸着性能の低下等を起こすため定期的に交換が必要となるが、交換作業中は処理槽が使用できず、場合によっては運航停止を余儀なくされる事態となることから、処理槽を迅速に使用可能状態に復帰できることが望まれるため、活性炭袋の充填及び取り出し作業を迅速に行えるようにすることは船舶にとって重要な課題である。
【００１１】
特許文献２は、複数の活性炭袋を金網製の函に収容することで一括して取り扱えるようにしているが、海水中に金網製の函を浸漬することは腐食の懸念があると共に、複数の活性炭袋を収容した函を狭い船舶内で取り扱うには作業性の点で問題があり、バラスト水の処理のために使用するには適さない。
【００１２】
また、使用中等に不意に活性炭の目詰まりや処理槽の不具合等のトラブルが発生すると、その間はバラスト水の処理が行えなくなる。排水不能となると出港延期や荷役作業の停滞等につながり、船舶の運航スケジュールに大きな支障を来す問題がある。船舶がスケジュール通りに運航できなくなることは、停泊費用や積載予定の貨物の保管費用等が嵩む原因となり、船会社にとっては大きな問題である。
【００１３】
そこで、本発明は、処理槽内で活性炭と金属部材とが直接触れることによる腐食を発生させるおそれがなく、活性炭の交換作業も迅速に行うことができ、不意のトラブル時にも処理を継続することができるバラスト水の排水処理装置を提供することを課題とする。
【００１４】
本発明の他の課題は、以下の記載により明らかとなる。
【課題を解決するための手段】
【００１５】
上記課題は、以下の各発明によって明らかとなる。
【００１６】
（請求項１）
船舶内のバラスト水経路途中に設けられ、オゾン処理後の海水からなるバラスト水中の残留酸化物等を除去する排水処理装置であって、
それぞれ内部に活性炭を収容し、前記バラスト水経路中のバラスト水を流入させる流入管及び前記活性炭により処理された後のバラスト水を前記バラスト水経路に流出させる流出管を有すると共に、前記バラスト水経路に対して並列的に接続された複数の処理槽を備えてなり、
前記活性炭は、該活性炭の粒径よりも小さなメッシュを有する絶縁性の透水性袋内に充填されて活性炭袋の形態で前記処理槽の各々に多数袋収容されていると共に、
前記複数の処理槽は少なくとも２つのグループに分けられ、前記バラスト水経路中のバラスト水を、前記複数の処理槽の全てに流入させる場合と、少なくともいずれか１つのグループの前記処理槽には流入させない場合とに選択可能な選択手段を有することを特徴とするバラスト水の排水処理装置。
【００１７】
（請求項２）
前記グループは複数の前記処理槽を含んでいると共に、前記バラスト水経路中のバラスト水を、前記グループ内の複数の前記処理槽の全てに流入させる場合と、少なくともいずれか１つの前記処理槽には流入させない場合とに選択可能な第２の選択手段を有することを特徴とする請求項１記載のバラスト水の活性炭処理装置。
【発明の効果】
【００１８】
本発明によれば処理槽内で活性炭と金属部材とが直接触れることによる腐食を発生させるおそれがなく、活性炭の交換作業も迅速に行うことができ、不意のトラブル時にも処理を継続することができるバラスト水の排水処理装置を提供することができる。
【図面の簡単な説明】
【００１９】
【図１】本発明に係るバラスト水の活性炭処理装置の一例を示す概略構成図
【図２】１つの処理槽の断面図
【図３】（ａ）〜（ｃ）は活性炭処理装置の使用方法を説明する図
【図４】本発明に係るバラスト水の活性炭処理装置の他の態様を示す概略構成図
【図５】本発明に係るバラスト水の活性炭処理装置の更に他の態様を示す概略構成図
【図６】本発明に係るバラスト水の活性炭処理槽を組み込んだバラスト水処理装置の一例を示すフロー図
【図７】スリット板を示す断面図
【図８】図７のａ−ａ線断面図
【発明を実施するための形態】
【００２０】
以下、本発明の実施の形態について図面を用いて説明する。
【００２１】
図１は本発明に係るバラスト水の活性炭処理装置の一例を示す概略構成図である。
【００２２】
図中、１は排水処理装置、２Ａは排水処理装置１に向けてオゾン処理後のバラスト水を移送する流入側のバラスト水経路、２Ｂは排水処理装置１によって処理されたバラスト水を移送する流出側のバラスト水経路である。また、排水処理装置１において、１０は処理槽、１１は各処理槽１０に設けられた流入管、１２は各処理槽１０に設けられた流出管である。
【００２３】
排水処理装置１は、６基の処理槽１０がバラスト水経路２Ａと２Ｂとの間に並列的に接続されている。本発明において処理槽１０は複数基であればよく、数は特に限定されない。ここでは、全６基の処理槽１０が、３基ずつの２つのグループＧ１、Ｇ２に分かれており、流入側のバラスト水経路によって移送されるオゾン処理後のバラスト水が、各グループＧ１、Ｇ２毎に設けられた導入管１３Ａ、１３Ｂに流入し、この導入管１３Ａ、１３Ｂから各々３基ずつの各処理槽１０に対応して分岐する各流入管１１を介して各処理槽１０内に流入する構成となっている。
【００２４】
導入管１３Ａ、１３Ｂにはそれぞれ電磁弁１４Ａ、１４Ｂ（選択手段）が設けられており、制御部１５によって開閉が個別に制御されるようになっており、オゾン処理後のバラスト水の流入先を選択可能としている。
【００２５】
各処理槽１０内には、オゾン処理後のバラスト水中の残留酸化物（オキシダント）等を除去もしくは船外に排水するのに支障がない程度にまで低減する。
【００２６】
図２は１つの処理槽１０の断面図であり、これを用いて処理槽１０について更に説明する。
【００２７】
処理槽１０において、１０１は円筒形状の処理槽本体、１０２は流入管１１と接続された下部カバー、１０３は流出管１２と接続された上部カバー、１０４、１０５は処理槽本体１０１内の下部及び上部に設けられ、多数の開口１０４ａ、１０５ａを有する流出防止部材である。流出防止部材１０４、１０５の間の処理槽本体１０１の内部に、粒状の活性炭を充填してなる活性炭袋１００が活性炭量が所定量となるように多数袋収容されている。活性炭はこのように袋詰めされているため、処理槽本体１０１内の金属部材と直接触れ合うことはない。
【００２８】
活性炭としては、オゾン処理後のバラスト水中の残留酸化物等を除去もしくは船外に排水しても支障がない程度にまで低減し得るものであれば特に問わないが、一般に粒状のヤシガラ活性炭を用いることができる。粒状活性炭の具体的な適例としては、日本エンバイロケミカルズ社製「粒状白鷺ＷＨｚｃ」が挙げられる。
【００２９】
かかる活性炭を内部に充填した活性炭袋１００の袋は透水性であり、内部の活性炭の流出を防止するため、該活性炭の粒径よりも小さなメッシュ（孔径）を有するが、あまり小さすぎると、処理槽本体１０１内に流入したバラスト水の通過を阻害するおそれがあるため、２００〜２５０μｍとすることが好ましい。
【００３０】
この透水性の袋は、海水温における体積固有抵抗率が１×１０１６Ω・ｃｍ以下の絶縁性を有するものであり、絶縁性を有することにより、活性炭袋１００が処理槽本体１０１内の金属部材と接触しても、内部の活性炭からは絶縁され、金属部材を腐食させるおそれはない。袋の材質としては安価である点で合成樹脂が好ましく、中でもポリエステルが好ましい。
【００３１】
処理槽本体１０１内の下部に設けられた流出防止部材１０４は、多数袋の活性炭袋１００の荷重を受け止めると共に逆洗時の該活性炭袋１００の流出を防止する。また、処理槽本体１０１内の上部に設けられた流出防止部材１０５は、活性炭処理時の活性炭袋１００の流出を防止する。活性炭は透水性袋に袋詰めされていることによって流出が防止されているため、活性炭の粒径よりも細かな孔径の網状部材を不要とすることができる。
【００３２】
これら流出防止部材１０４、１０５は、活性炭袋１００の荷重を受け止めると共にその流出を防止できればよく、活性炭そのものの流出を防止する必要はない。従って、流出防止部材１０４、１０５に多数形成される開口１０４ａ、１０５ａは、活性炭の粒径よりも大きく、活性炭袋１００の外形の最小径よりも小さい径であれば足りる。これにより、各流出防止部材１０４、１０５は上記大きさの多数の開口１０４ａ、１０５ａを有するだけの簡素な構造でよく、安価なものとすることができる。
【００３３】
また、開口１０４ａ、１０５ａを細かな孔径とする必要がないため、バラスト水の円滑な通過の支障となることはなく、目詰まりが生じるおそれもない。このため、流出防止部材１０４、１０５の目詰まりに起因するメンテナンスの必要性をなくすことができる。
【００３４】
このような流出防止部材１０４、１０５は、活性炭が絶縁性の透水性袋に袋詰めされて活性炭と直に接することがないため、金属、合成樹脂のいずれを用いて作製することもできる。金属としてはステンレスが好ましく使用でき、合成樹脂としてはアクリル樹脂が好ましく使用できる。特に構造簡単で安価に作製できる点で、多数の開口１０４ａ、１０５ａを開設したパンチング板を用いることが好ましく、特に樹脂製パンチング板が好ましい。
【００３５】
１つの処理槽１０の活性炭ＳＶ値（空塔速度）は、効率良くバラスト水中の残留酸化物等を除去もしくは低減できるようにする観点から、８０〜１２０［Ｈｒ−１］とすることが好ましく、より好ましくは１００［Ｈｒ−１］とすることである。
【００３６】
このように構成された各処理槽１０は、バラスト水経路２Ａ、２Ｂに対して並列的に接続されているため、処理槽１０個々の大きさを小型化することができ、１つの大型の処理槽を設置する場合に比べて、製作のための設備や技術に高い水準が要求されることはなく、製作費を低く抑えることができる。また、処理槽１０を小型化しても、複数基を並行して使用して処理することができるため、全体の処理量を確保することができる。
【００３７】
図３は、かかる排水処理装置１の使用方法を示している。
【００３８】
図３（ａ）は、導入管１３Ａ、１３Ｂに設けられた電磁弁１４Ａ、１４Ｂを共に開放させた場合であり、この状態で使用すると、流入側のバラスト水経路２Ａ中を移送されるオゾン処理後のバラスト水は、全６基の全ての処理槽１０内に流入する。これにより全ての処理槽１０によってバラスト水を排水処理することができるため、最も迅速な処理を行うことができる。
【００３９】
図３（ｂ）は、グループＧ２側の電磁弁１４Ｂのみを閉止させた場合であり、この状態で使用すると、流入側のバラスト水経路２Ａ中を移送されるオゾン処理後のバラスト水は、グループＧ１側の３基の処理槽１０内にのみ流入する。また、図３（ｃ）は、グループＧ１側の電磁弁１４Ａのみを閉止させた場合であり、この状態で使用すると、流入側のバラスト水経路２Ａ中を移送されるオゾン処理後のバラスト水は、グループＧ２側の３基の処理槽１０内にのみ流入する。これらの場合は、例えばいずれかのグループＧ１又はＧ２の処理槽１０に不具合が発生した場合や、活性炭を交換する必要がある場合に、他方のグループの処理槽１０でオゾン処理後のバラスト水の排水処理を継続することができる。
【００４０】
従って、この排水処理装置１によれば、活性炭処理継続中（排水継続中）であっても、図３（ｂ）又は（ｃ）の使用態様とすることで、活性炭袋１００の交換や処理槽１０の補修等を行うことができ、不意のトラブル時にも処理を中断することがなくなる。
【００４１】
また、活性炭袋１００の交換時も、各処理槽１０単位で交換作業を行えばよいので、１つの大型の処理槽を使用するものに比べて１作業毎の活性炭袋１００の交換数を少なくでき、交換作業が迅速且つ容易に行える。
【００４２】
排水処理装置１における複数の処理槽１０のグループ分けは、以上説明した２つのグループに分けるものに限らず、図４に示すように、３つ又はそれ以上のグループに分けるようにしてもよい。３つ以上のグループに分ける場合は、バラスト水の活性炭処理時にいずれかの処理槽１０の補修や活性炭袋１００の交換作業が必要となった場合、その作業対象となる処理槽１０を含むいずれかのグループＧ１、Ｇ２又はＧ３に対応する電磁弁１４Ａ、１４Ｂ又は１４Ｃのみを閉止することで、他のグループの各処理槽１０によって活性炭処理を継続させるようにすればよい。
【００４３】
複数のグループの使い分けは、処理槽１０の補修や活性炭袋１００の交換作業によって決めるものに限らず、オゾン処理後のバラスト水の処理量によって決めるようにすることもできる。すなわち、必要な処理量（排水量）が多い場合は、全ての処理槽１０を使用して最大性能での処理を行い、必要な処理量（排水量）が少なくて済む場合は、その処理量に応じて活性炭処理に使用するグループを限定し、少ない処理槽１０の数で処理するようにしてもよい。これにより、活性炭の負荷を低減でき、活性炭の寿命を延ばすことができる。
【００４４】
１つのグループにおける処理槽１０の数は１つ以上あればよく、また、各グループで処理槽１０の数は同一でなくてもよい。
【００４５】
１つのグループ内に処理槽１０が複数基設けられる場合、図５に示すように、導入管１３に設けられる電磁弁１４の他に、各処理槽１０に接続される流入管１１のそれぞれに電磁弁１６１、１６２、１６３（第２の選択手段）を設け、これらを制御部１５によって個別に開閉制御するように構成することも好ましい。この場合は、電磁弁１４を開放し、電磁弁１６１、１６２、１６３のいずれかを閉止させることで、グループＧ０内のいずれか１つの処理槽１０内だけにバラスト水を流入させないようにすることができるため、例えば当該グループＧ０内の処理槽１０の活性炭袋１００の交換作業を逐次行う場合でも、交換作業が終了した処理槽１０から順次に電磁弁１６１、１６２、１６３を開放して、早期に処理を再開させることができる。
【００４６】
また、グループＧ０内のいずれかの処理槽１０の補修や活性炭袋１００の交換作業を行う場合でも、同一グループＧ０内の残りの処理槽１０によって処理を継続させることができるため、処理槽１０の補修や活性炭袋１００の交換作業をピンポイントで実行でき、処理量の低下を最小限に抑えることができる。
【００４７】
次に、このようなバラスト水の排水処理装置１を組み込んだバラスト水処理装置の一例について図６に示すフロー図を用いて説明する。
【００４８】
図中、２００はバラスト水処理装置、３００はバラストタンクを示している。
【００４９】
バラスト水処理装置２００は船舶内部に設置されており、同図において２０１は船底付近に設けられたシーチェスト、２０２はシーチェスト２０１から取水されたバラスト水をバラストタンク３００に移送するための主配管である。ここではバラストタンク３００は１つだけ示されているが、通常、バラストタンク３００は船体内に複数設けられ、各バラストタンク３００内にそれぞれ主配管２０２によってバラスト水が移送される。
【００５０】
また、主配管２０２上において、２０３はストレーナ、２０４はプレフィルタ、２０５は流量計、２０６はオゾン混合装置、２０７はバラストポンプ、２０８はスリット板、２０９はオゾン分離タンク、２１０はオゾン生成装置、２１１はオゾン分解塔である。
【００５１】
更に、２１２はバラストタンク３００近傍の主配管２０２とプレフィルタ２０４と流量計２０５との間の主配管２０２とを繋ぎ、バラストタンク３００内のバラスト水を排水するための第１排水管であり、２１２ａ、２１２ｂは第１排水管２１２と主配管２０２との接続部である。２１３はバラストポンプ２０７とスリット板２０８との間の主配管２０２から分岐され、バラストタンク３００内のバラスト水を船外に排水するための第２排水管であり、２１３ａは第２排水管２１３の分岐部である。
【００５２】
Ｖ１〜Ｖ４は主配管２０２に設けられた開閉弁であり、開閉弁Ｖ１はプレフィルタ２０４と第１排水管２１２の接続部２１２ａとの間に設けられ、開閉弁Ｖ２はバラストポンプ２０７と第２排水管２１３の分岐部２１３ａとの間に設けられ、開閉弁Ｖ３は第２排水管２１３の分岐部２１３ａとスリット板２０８との間に設けられ、開閉弁Ｖ４はオゾン分離タンク２０９と第１排水管２１２の接続部２１２ｂとの間に設けられている。
【００５３】
Ｖ５は第１排水管２１２に設けられた開閉弁、Ｖ６は第２排水管２１３に設けられた開閉弁である。
【００５４】
なお、本発明では、バラストタンク３００内に貯留された海水のみならず、バラストタンク３００に貯留するためにシーチェスト２０１から船体内に取り込まれた海水を含めて「バラスト水」と定義する。バラスト水には、一般に、動物プランクトン、植物プランクトン、微生物等の水生生物や大腸菌等の細菌類を含んでいる。
【００５５】
かかるバラスト水処理装置２００において、バラストタンク３００にバラスト水（海水）を取水する際、開閉弁Ｖ１〜Ｖ４を開放し、開閉弁Ｖ５、Ｖ６を閉じ、バラストポンプ２０７を駆動させてシーチェスト２０１からバラスト水を取水する。シーチェスト２０１から取水されたバラスト水は、ストレーナ２０３及びプレフィルタ２０４によって夾雑物が取り除かれた後、オゾン混合装置２０６によってオゾン生成装置２１０から供給されるオゾンが注入される。
【００５６】
オゾン混合装置２０６は、主配管２０２を移送中のバラスト水とオゾン生成装置２１０から供給されるオゾンもしくはオゾンと酸素の混合気体とを気液混合する気液混合装置（オゾンインジェクター）を好ましく用いることができるが、バラスト水中に所定濃度のオゾンを混入させることができるものであれば特に限定されず、例えばスタティックミキサー、ラインミキサーなどの静的混合機や散気管等を使用することもできる。
【００５７】
このオゾン混合装置２０７においてバラスト水中に注入されるオゾンの濃度は、１．０〜４．０ｐｐｍとすることが好ましい。
【００５８】
スリット板２０８は、オゾン混合装置２０６によってオゾンが混入されたバラスト水を高圧で通過させることにより、バラスト水中の水生生物や細菌類を剪断力によって破壊して殺滅する。
【００５９】
このスリット板２０８の一例を図７、図８に示す。
【００６０】
図７は、主配管２０２内のスリット板２０８を示す断面図、図８は、図７のａ−ａ線断面図であり、これらに示すように、スリット板２０８は主配管２０２の内部に、該主配管２０２の流路全体を塞ぐようにして配設されている。スリット板２０８には複数のスリット状の開口２０８ａが形成されている。開口２０８ａの開口幅は、バラスト水中の水生生物や細菌類を剪断力によって破壊する効果が充分に発揮され得る幅に設定されるが、好ましくは２００μｍ〜５００μｍとされる。
【００６１】
主配管２０２内を移送されるバラスト水は、バラストポンプ２０７によってこのスリット板２０８に向かって高圧で圧送される。圧送されたバラスト水は乱流状態のままスリット板２０８のスリット状の開口２０８ａを通過しようとし、この開口２０８ａを通過する際に剪断現象が生じることで、バラスト水中の水生生物や細菌類を破壊して殺滅する。
【００６２】
かかる剪断力による破壊、殺滅効果をより発揮させるために、スリット板２０８はバラスト水の流れ方向に対して直交する方向に取り付けることが好ましい。
【００６３】
また、スリット板２０８は、主配管２０２内に密接して取り付けられるが、図示しないが、容易に取り外し可能として洗浄することができるように、フランジ等によって主配管２０２に介設することが好ましい。
【００６４】
スリット板２０８に形成される複数のスリット状の開口２０８ａの形状は、図８に例示するように細長い長方形状からなるものが好ましい態様として挙げられる。開口２０８ａの本数は特に限定されず、バラスト水の圧力損失、剪断現象の発生状況に応じて適宜設定される。
【００６５】
なお、各開口２０８ａは全て同じ長さに形成してもよいが、主配管２０２の断面形状に合わせて、中央部の開口２０８ａを長く、端部に行くほど短く形成してもよい。また、各開口２０８ａの形状は直線状に限らず、円弧状等の曲線状に形成してもよい。
【００６６】
更に、主配管２０２内に配設されるスリット板２０８の枚数は１枚に限らず、複数枚を間隔をおいて配設してもよい。複数枚のスリット板２０８を配設する場合は、各スリット板２０８のそれぞれの開口２０８ａの幅、大きさ、本数、形状を異ならせたり、開口２０８ａの向きを互いに直交する方向に配置したりすることが好ましい。これにより、剪断現象をより一層効果的に発揮させることができ、バラスト水中の水生生物や細菌類の破壊、殺滅効果をより向上させることができる。
【００６７】
このようにして、主配管２０２内を移送されるバラスト水中の水生生物や細菌類は、バラスト水中へのオゾン混入とスリット板２０８による剪断力とによって除去あるいは殺滅される。
【００６８】
スリット板２０８を通過した後のバラスト水中にはオゾンが微細気泡となって含まれており、オゾン分離タンク２０９に送られ、ここでバラスト水中に残留する未反応のオゾンの分離が行われる。バラスト水中から分離された廃オゾンは、廃オゾン分解塔２１１によって分解された後、船外に排出され、オゾンが分離されたバラスト水はバラストタンク３００に送られて貯留される。
【００６９】
次に、バラストタンク３００内のバラスト水を排水する際、開閉弁Ｖ１、Ｖ３、Ｖ４を閉じ、開閉弁Ｖ５、Ｖ６を開放し、バラストポンプ２０７を駆動させて、バラストタンク３００内のバラスト水を主配管２０２を逆送させ、第１排水管２１２の接続部２１２ｂから第１排水管２１２を経由して再び主配管２０２内を移送させ、分岐部２１３ａから第２排水管２１３に移送させる。
【００７０】
本発明に係るバラスト水の排水処理装置１は、この第２排水管２１３の途中に設けられており、バラストタンク３００から船外に排水される前段階において、バラスト水中の残留酸化物等を除去もしくは低減する。
【００７１】
図６に示すように、図１において示した流入側のバラスト水経路２Ａと流出側のバラスト水経路２Ｂがそれぞれ第２排水管２１３に接続されている。２１ａは流入側のバラスト水経路２Ａと第２排水管２１３との接続部、２１ｂは流出側のバラスト水経路２Ｂと第２排水管２１３との接続部である。
【００７２】
また、２１４はバラスト水経路２Ａの途中と第２排水管２１３とを繋ぐ逆洗管であり、２１４ａは逆洗管２１４とバラスト水経路２Ａとの接続部、２１４ｂは逆洗管２１４と第２排水管２１３との接続部であり、接続部２１４ｂはバラスト水経路２Ｂの接続部１２ａよりも排出端側に位置している。
【００７３】
Ｖ７〜Ｖ１１は開閉弁であり、開閉弁Ｖ７はバラスト水経路２Ａと２Ｂの各接続部２１ａ、２１ｂの間の第２排水管２１３に設けられ、開閉弁Ｖ８は接続部２１ａと接続部２１４ａの間のバラスト水経路２Ａに設けられ、開閉弁Ｖ９はバラスト水経路２Ｂに設けられ、開閉弁Ｖ１０は逆洗管２１４に設けられ、開閉弁Ｖ１１は接続部２１ｂと接続部２１４ｂの間の第２排水管２１３に設けられている。
【００７４】
排水時は、開閉弁Ｖ８、Ｖ９、Ｖ１１を開放し、開閉弁Ｖ７、Ｖ１０を閉じ、バラストポンプ２０７の駆動によって第２排水管２１３内を移送されるバラスト水を流入側のバラスト水経路２Ａから各処理槽１０内に流入させ、各処理槽本体１０１内に収容された活性炭袋１００内の活性炭により残留酸化物等を除去もしくは低減させる。
【００７５】
各処理槽１０を通過して活性炭処理されることにより残留酸化物等が除去もしくは低減されたバラスト水は、流出側のバラスト水経路２Ｂから第２排水管２１３に戻り、船外に排水される。
【００７６】
バラスト水経路２Ａ、２Ｂにはそれぞれ圧力計２１５、２１６が設けられており、バラスト水経路２Ａを流れるバラスト水とバラスト水経路２Ｂを流れるバラスト水との差圧が大きくなってきたら、各処理槽１０の逆洗を行う。逆洗時は、開閉弁Ｖ７、Ｖ１０を開放し、開閉弁Ｖ８、Ｖ１１を閉じ、バラストポンプ２０７の駆動によって第２排水管２１３内を移送されるバラスト水を、まず流出側のバラスト水経路２Ｂから各処理槽１０内に逆方向に流入させ、流入側のバラスト水経路２Ａから逆洗管２１４を通って船外に排水する。
【符号の説明】
【００７７】
１：排水処理装置
２Ａ、２Ｂ：バラスト水経路
１０：処理槽
１００：活性炭袋
１０１：処理槽本体
１０２：下部カバー
１０３：上部カバー
１０４、１０５：流出防止部材
１０４ａ、１０５ａ：開口
１１：流入管
１２：流出管
１３、１３Ａ、１３Ｂ：導入管
１４、１４Ａ、１４Ｂ：電磁弁
１５：制御部
１６１〜１６３：電磁弁
【図１】
2011050882.tif 000003
【図２】
2011050882.tif 000004
【図３】
2011050882.tif 000005
【図４】
2011050882.tif 000006
【図５】
2011050882.tif 000007
【図６】
2011050882.tif 000008
【図７】
2011050882.tif 000009
【図８】
2011050882.tif 000010